(57)【要約】【課題】洗濯機を水平にする作業を容易にすることができる洗濯機を提供する。【解決手段】洗濯機１は、下部２Ｂにベース部７が設けられた洗濯機本体２と、ベース部７から下側Ｚ２へ突出して設置面Ｓに接触する複数の脚部３と、水準器２１が取り付けられる取付部２０とを含む。複数の脚部３のうちの少なくとも１つの脚部３は、下側Ｚ２への突出量Ｄを調整できる調整脚９である。取付部２０は、ベース部７または調整脚９に設けられる。【選択図】図２
2018094319.tif 000002
【特許請求の範囲】
【請求項１】
下部にベース部が設けられた洗濯機本体と、
前記ベース部から下側へ突出して設置面に接触する複数の脚部であって、そのうちの少なくとも１つの脚部が下側への突出量を調整できる調整脚である複数の脚部と、
前記ベース部または前記調整脚に設けられ、水準器が取り付けられる取付部とを含む、洗濯機。
【請求項２】
前記取付部は、前記ベース部または前記調整脚に一体化される、請求項１に記載の洗濯機。
【請求項３】
前記取付部は、前記ベース部によって回動可能に支持される、請求項１に記載の洗濯機。
【請求項４】
前記取付部は、着脱可能である、請求項１に記載の洗濯機。
【請求項５】
前記調整脚は、ねじ部またはラックが外周面に形成された縦軸と、前記縦軸の下端部に固定されて設置面に接触する接触部と、前記縦軸の外周面に噛み合った横軸と、前記横軸を回転可能に支持した支持部とを有し、
前記横軸の回転に応じて、前記縦軸が、前記接触部を伴って昇降する、請求項１〜４のいずれかに記載の洗濯機。
【発明の詳細な説明】
【技術分野】
【０００１】
この発明は、洗濯機に関する。
【背景技術】
【０００２】
下記特許文献１に記載の全自動洗濯機では、枠体の下面部にベースが装着され、ベースの四隅には、脚が１つずつ形成される。これらの脚のうち、１つの脚は、高さ調整可能な調整脚であり、残りの脚は、高さが一定な固定脚である。運転時に騒音や異常振動が発生しないように全自動洗濯機を水平に設置するために、調整脚の高さが調整される。全自動洗濯機が水平に設置されたか否かは、枠体の上端面に取り付けられた水準器によって確認される。
【先行技術文献】
【特許文献】
【０００３】
【特許文献１】特開２０００−７９２９５号公報
【発明の概要】
【発明が解決しようとする課題】
【０００４】
特許文献１に記載の全自動洗濯機では、調整脚と水準器とが上下に離れて配置される。これでは、作業者は、全自動洗濯機が水平に設置されたか否かを水準器によって確認しながら調整脚の高さを調整することができない。この場合、全自動洗濯機を正確に水平にするためには、作業者は、かがみ込んで調整脚の高さを調整する作業と、体勢を変えて水準器を視認する作業とを繰り返さなければならないので、作業における負担が大きい。
【０００５】
この発明は、かかる背景のもとでなされたもので、洗濯機を水平にする作業を容易にすることができる洗濯機を提供することを目的とする。
【課題を解決するための手段】
【０００６】
本発明は、下部にベース部が設けられた洗濯機本体と、前記ベース部から下側へ突出して設置面に接触する複数の脚部であって、そのうちの少なくとも１つの脚部が下側への突出量を調整できる調整脚である複数の脚部と、前記ベース部または前記調整脚に設けられ、水準器が取り付けられる取付部とを含む、洗濯機である。
【０００７】
また、本発明は、前記取付部は、前記ベース部または前記調整脚に一体化されることを特徴とする。
【０００８】
また、本発明は、前記取付部は、前記ベース部によって回動可能に支持されることを特徴とする。
【０００９】
また、本発明は、前記取付部は、着脱可能であることを特徴とする。
【００１０】
また、本発明は、前記調整脚は、ねじ部またはラックが外周面に形成された縦軸と、前記縦軸の下端部に固定されて設置面に接触する接触部と、前記縦軸の外周面に噛み合った横軸と、前記横軸を回転可能に支持した支持部とを有し、前記横軸の回転に応じて、前記縦軸が、前記接触部を伴って昇降することを特徴とする。
【発明の効果】
【００１１】
本発明によれば、洗濯機では、洗濯機本体の下部のベース部における調整脚の下側への突出量を調整することによって、洗濯機を水平にすることができる。洗濯機が水平に設置されたか否かを確認するための水準器は、ベース部または調整脚に設けられた取付部に取り付けられるので、洗濯機本体において目立たない位置において調整脚に接近して配置される。これにより、作業者は、調整脚の突出量の調整中において、体勢を変えずに水準器を視認できるので、洗濯機が水平に設置されたか否かを水準器によって確認しながら調整脚の突出量を調整することができる。その結果、洗濯機を水平にする作業を容易にすることができる。
【００１２】
また、本発明によれば、取付部がベース部または調整脚に一体化されるので、取付部に取り付けられる水準器を、確実に調整脚に接近して配置できる。
【００１３】
また、本発明によれば、取付部がベース部によって回動可能に支持されるので、洗濯機を水平にする作業の際には、ベース部から引き出した取付部に取り付けられた水準器によって、洗濯機が水平に設置されたか否かを確認でき、作業の完了後には、取付部を回動させてベース部内に格納できる。
【００１４】
また、本発明によれば、取付部が着脱可能であるので、洗濯機を水平にする作業の完了後には、取付部を取り外して水準器と共に仕舞っておくことができる。
【００１５】
また、本発明によれば、設置面に接触する接触部が下端部に固定された縦軸と、縦軸の外周面に噛み合って回転可能な横軸とを有する調整脚において、横軸を回転させると、縦軸が、接触部を伴って昇降するので、調整脚の下側への突出量を自在に調整できる。
【図面の簡単な説明】
【００１６】
【図１】図１は、この発明の一実施形態に係る洗濯機の正面図である。
【図２】図２は、洗濯機の右側面図である。
【図３】図３は、図２のＡ−Ａ矢視断面図である。
【図４】図４は、図３のＢ−Ｂ矢視断面図である。
【図５】図５は、第１変形例に係る洗濯機の要部の右側面図である。
【図６】図６は、第１変形例に係る洗濯機の要部の正面図である。
【図７】図７は、着脱可能な取付部の平面図である。
【図８】図８は、取付部の右側面図である。
【図９】図９は、第２変形例に係る洗濯機の要部の縦断面右側面図である。
【図１０】図１０は、第２変形例に係る洗濯機の要部の底面図である。
【図１１】図１１は、第３変形例に係る洗濯機の要部の縦断面右側面図である。
【図１２】図１２は、図１１のＣ−Ｃ矢視図である。
【図１３】図１３は、第４変形例に係る洗濯機の要部の斜視図である。
【発明を実施するための形態】
【００１７】
以下には、図面を参照して、この発明の実施形態について具体的に説明する。図１は、この発明の一実施形態に係る洗濯機１の正面図である。図１における左右方向を洗濯機１の左右方向Ｘといい、図１の紙面に直交する方向を洗濯機１の前後方向Ｙといい、図１における上下方向を洗濯機１の上下方向Ｚという。左右方向Ｘのうち、図１における左側を左側Ｘ１といい、図１における右側を右側Ｘ２という。前後方向Ｙのうち、図１における手前側を前側Ｙ１といい、図１における奥側を後側Ｙ２という。上下方向Ｚのうち、図１における上側を上側Ｚ１といい、図１における下側を下側Ｚ２という。上下方向Ｚは、垂直方向でもある。左右方向Ｘおよび前後方向Ｙは、水平方向に含まれる。
【００１８】
洗濯機１は、その外殻を構成する洗濯機本体２と、洗濯機１を床面などの設置面Ｓに設置する際に設置面Ｓに接触する複数の脚部３とを含む。洗濯機本体２は、ボックス状に形成され、その内部には、洗濯物を収容する円筒状の洗濯槽４が配置される。洗濯機１は、図１に示すように洗濯槽４の中心軸線が上下方向Ｚに延びた縦型洗濯機であってもよいし、洗濯槽４の中心軸線が上下方向Ｚに対して前後方向Ｙに交差したドラム式洗濯機（図示せず）であってもよいし、２つの洗濯槽４が左右方向Ｘに並んで配置された二槽式洗濯機（図示せず）であってもよい。縦型洗濯機である場合の洗濯機１では、洗濯機本体２の上面部２Ａに、洗濯槽４に対して洗濯物を出し入れするための出入口（図示せず）と、この出入口を開閉する扉５と、扉５よりも前側Ｙ１の領域に配置された表示操作部６とが設けられる。表示操作部６は、スイッチや液晶パネルなどで構成される。
【００１９】
洗濯機本体２の下部２Ｂ、詳しくは、洗濯槽４よりも下側Ｚ２に位置する底部には、ベース部７が設けられる。ベース部７は、平面視において洗濯機本体２の輪郭とほぼ一致した略矩形状をなし、上側Ｚ１へ開放されたトレイ状に形成される。ベース部７は、洗濯機本体２の一部であってもよいし、洗濯機本体２とは別の部品として洗濯機本体２に組み付けられてもよい。
【００２０】
洗濯機１の右側面図である図２も参照して、脚部３は、例えば４つ存在し、ベース部７の四隅に１つずつ配置され、ベース部７の下面部７Ａから下側Ｚ２へ突出して配置される。各脚部３は、下面部７Ａから下側Ｚ２への突出量Ｄが一定となった固定脚８、または、この突出量Ｄを調整できる調整脚９である。固定脚８は、下面部７Ａに固定された凸部であって、その下端面８Ａとベース部７との相対位置は一定である。一例として、この実施形態では、ベース部７の後部に位置する左右２つの脚部３と、ベース部７の前部における左端に位置する１つの脚部３とが固定脚８であり、ベース部７の前部における右端に位置する残り１つの脚部３が調整脚９である。複数の脚部３のうち、少なくとも１つの脚部３が調整脚９であればよいので、全ての脚部３が調整脚９であってもよい。各固定脚８の下端面８Ａが設置面Ｓに接触することにより、ベース部７を含む洗濯機本体２は、固定脚８によって下側Ｚ２から支えられる。
【００２１】
ベース部７の下面部７Ａの四隅において調整脚９が配置されるコーナー部分には、上側Ｚ１へ窪んで調整脚９を収容する凹部７Ｂが形成される。この実施形態では、下面部７Ａにおける右前のコーナー部分に凹部７Ｂが形成され、凹部７Ｂは、右側Ｘ２および前側Ｙ１の両方へ開放された状態にある。ベース部７は、凹部７Ｂを上側Ｚ１から塞いで凹部７Ｂの底をなす底板７Ｃを有する。底板７Ｃの板厚方向は、上下方向Ｚと一致した状態にある。底板７Ｃは、下面部７Ａよりも上側Ｚ１にずれて配置される。
【００２２】
図２のＡ−Ａ矢視断面図である図３と、図３のＢ−Ｂ矢視断面図である図４とを参照して、調整脚９は、縦軸１１と、接触部１２と、支持部１３と、横軸１４とを有する。縦軸１１は、上下方向Ｚに延びる円柱状に形成される。縦軸１１の上部１１Ａは、底板７Ｃに形成された貫通穴７Ｄ（図４参照）に対して下側Ｚ２から挿通された状態にある。上部１１Ａの上端および下端のそれぞれには、縦軸１１の径方向における外側へ環状に張り出したフランジ部１１Ｂが設けられる。上下一対のフランジ部１１Ｂのうち、少なくとも上側Ｚ１のフランジ部１１Ｂは、縦軸１１とは別の部品であって、ナットや、ワッシャ付きネジなどによって構成される。上側Ｚ１のフランジ部１１Ｂは、上部１１Ａを水平方向に貫通したピンによって構成されてもよい。一方、下側Ｚ２のフランジ部１１Ｂは、縦軸１１に一体的に設けられてもよい。上側Ｚ１のフランジ部１１Ｂは、底板７Ｃよりも上側Ｚ１に配置され、下側Ｚ２のフランジ部１１Ｂは、底板７Ｃよりも下側Ｚ２に配置される。これらのフランジ部１１Ｂがストッパとして機能することにより、縦軸１１が貫通穴７Ｄから上下に抜けることが防止される。縦軸１１において上部１１Ａよりも下側の部分の外周面１１Ｃのほぼ全域には、螺旋状のねじ部１１Ｄが形成される。
【００２３】
接触部１２は、例えば下側Ｚ２へ向かうにつれて拡径する略円錐台形状に形成され、縦軸１１の下端部１１Ｅに対して下側Ｚ２から固定される。下側Ｚ２のフランジ部１１Ｂが底板７Ｃに下側Ｚ２から接触して、接触部１２の下端面１２Ａが設置面Ｓに接触することにより、ベース部７を含む洗濯機本体２は、調整脚９によって下側Ｚ２から支えられる。
【００２４】
支持部１３は、下面の全域が開放されたボックス状に形成される。支持部１３の天壁１３Ａには貫通穴１３Ｂが形成され、支持部１３の左側壁１３Ｃおよび右側壁１３Ｄにおいて左右方向Ｘから見て重なる位置には、貫通穴１３Ｅが１つずつ形成される。支持部１３は、縦軸１１において上部１１Ａよりも下側の部分のほとんどを収容し、接触部１２の上部に上側Ｚ１からかぶさった状態にある。縦軸１１は、天壁１３Ａの貫通穴１３Ｂに対して、遊びを持って挿通された状態にある。
【００２５】
横軸１４は、左右方向Ｘに延びる円柱状に形成される。横軸１４の左端部１４Ａおよび右端部１４Ｂは、これらの間の途中部１４Ｃよりも小径に形成される。右端部１４Ｂの右端面には、右側Ｘ２へ突出した係合部１４Ｄが一体的に設けられる。係合部１４Ｄは、右端部１４Ｂよりも細い。横軸１４の中心軸線Ｊと直交する平坦面に沿って切断したときの係合部１４Ｄの断面は、四角形状や六角形状などの多角形状に形成される（後述する図５参照）。途中部１４Ｃは、歯車形状を有し、その外周面には、左右方向Ｘに延びる複数の歯部１４Ｅが、中心軸線Ｊまわりの周方向Ｋに等間隔で並んで形成される。
【００２６】
横軸１４では、左端部１４Ａが、円環状の軸受１６を介して支持部１３の左側壁１３Ｃの貫通穴１３Ｅに挿通され、右端部１４Ｂが、別の軸受１６を介して支持部１３の右側壁１３Ｄの貫通穴１３Ｅに挿通される。これにより、横軸１４は、支持部１３によって中心軸線Ｊまわりに回転可能に支持された状態にある。係合部１４Ｄは、右側壁１３Ｄよりも右側Ｘ２にはみ出して配置される。横軸１４の途中部１４Ｃは、支持部１３内において縦軸１１よりも前側Ｙ１に配置され（図４参照）、途中部１４Ｃにおけるいずれかの歯部１４Ｅは、縦軸１１の外周面１１Ｃのねじ部１１Ｄの一部に噛み合った状態にある。
【００２７】
調整脚９において、ベース部７の下面部７Ａから下側Ｚ２への突出量Ｄを調整するための手順について説明する。この調整のために作業者によって操作される操作部材１７が存在する。図３に示すように、操作部材１７は、作業者によって把持される円盤状の把持部１７Ａと、把持部１７Ａの中央部から同軸状に突出した筒部１７Ｂとを一体的に有する。筒部１７Ｂの内側に形成された嵌合穴１７Ｃは、横軸１４の係合部１４Ｄの断面形状とほぼ一致した断面形状を有する。
【００２８】
洗濯機１が洗濯パンなどの設置場所に設置されて固定脚８の下端面８Ａと調整脚９の接触部１２の下端面１２Ａとが設置面Ｓに接触した状態において、作業者は、調整脚９が視界に入るように、必要に応じてかがみ込む。そして、作業者は、操作部材１７の把持部１７Ａを把持して筒部１７Ｂを横軸１４の係合部１４Ｄに接近させ、係合部１４Ｄを嵌合穴１７Ｃに嵌め込む。その後、作業者が、周方向Ｋに沿って把持部１７Ａを動かすと、横軸１４が周方向Ｋに回転する。すると、横軸１４に噛み合った縦軸１１には、横軸１４の回転力が上下方向Ｚの力に変換されて作用するので、縦軸１１が、横軸１４および支持部１３に対して上下方向Ｚに相対移動するように、接触部１２を伴って昇降する。このような縦軸１１および横軸１４は、ネジジャッキ構造を構成する。
【００２９】
詳しくは、横軸１４が周方向Ｋにおける一方側に回転すると、縦軸１１および接触部１２が下降してベース部７の下面部７Ａから離れるので、突出量Ｄが大きくなるが、横軸１４が逆回転すると、縦軸１１および接触部１２が上昇して下面部７Ａに接近するので、突出量Ｄが小さくなる。各固定脚８（図１参照）では突出量Ｄが一定であるのに対して、調整脚９では突出量Ｄが変化する。そのため、洗濯機１では、調整脚９の突出量Ｄを自在に調整することによって、洗濯機１を傾き調整して水平にすることができる。突出量Ｄを調整するための縦軸１１および横軸１４を収容した支持部１３は、横軸１４を支持する機能だけでなく、縦軸１１および横軸１４を覆う目隠しカバーとしても機能する。操作部材１７は、洗濯機１の傾き調整後に係合部１４Ｄから取り外されて別の保管場所に保管されてもよいし、常に係合部１４Ｄに連結された状態にあってもよい。
【００３０】
洗濯機１の傾き調整に関連して、洗濯機１は、図４に示す取付部２０を含む。取付部２０は、上下方向Ｚに一致した板厚方向を有する平板状に形成される。取付部２０は、図４では、一例として調整脚９に設けられる。この場合、取付部２０は、調整脚９の支持部１３の天壁１３Ａに一体化され、天壁１３Ａから前側Ｙ１へ略水平に延びた状態にある。取付部２０の少なくとも前端部２０Ａは、ベース部７において調整脚９を収容する凹部７Ｂからはみ出して、ベース部７から前側Ｙ１へ露出される（図２参照）。前端部２０Ａには、公知の水準器２１が上側Ｚ１から取り付けられる。この実施形態における水準器２１は、上面が開放されて内部に液体が充填されたキャップ状の本体部２１Ａと、本体部２１Ａの内部を上側Ｚ１から塞いだ円盤状の窓部２１Ｂとを有する。窓部２１Ｂは透明であり、少なくとも下面が、水平に沿って平坦に形成される。窓部２１Ｂの中央には、例えば円形状のマーク２１Ｃ（後述する図１２参照）が付される。洗濯機１が水平になれば、本体部２１Ａ内の気泡Ｐがマーク２１Ｃ内に収まるので、水準器２１の窓部２１Ｂを見れば、洗濯機１が水平に設置されたか否かを確認できる。水準器２１は、洗濯機１の一部として取付部２０に固定されてもよいし、洗濯機１のとは別の部品として通常は別保管されて、傾き調整の度に取付部２０に取り付けられてもよい。
【００３１】
このように調整脚９に設けられた取付部２０に取り付けられた水準器２１は、洗濯機本体２において目立たない下側Ｚ２の位置において調整脚９に接近して配置される。特に、取付部２０が調整脚９に一体化されるので、取付部２０に取り付けられる水準器２１を、確実に調整脚９に接近して配置できる。この場合、作業者は、調整脚９の突出量Ｄの調整中において、体勢を変えずに近傍の水準器２１を視認できるので、洗濯機１が水平に設置されたか否かを水準器２１によって確認しながら調整脚９の突出量Ｄを調整することができる。その結果、洗濯機１を正確に水平にする作業を容易にすることができる。
【００３２】
以上の実施形態では、取付部２０が調整脚９に設けられたが、取付部２０は、図５および図６に示す第１変形例のように、ベース部７に設けられてもよい。なお、以降では、今まで部分と同一の部分には同一番号を付して、当該部分についての詳細な説明は省略する。また、図５および図６では、説明の便宜上、ベース部７および取付部２０のそれぞれの一部が断面として図示される。
【００３３】
第１変形例の取付部２０は、略矩形の板状に形成される。ベース部７の例えば右側壁７Ｅには、取付部２０とほぼ同じ大きさを有してベース部７内に連通した開口７Ｆが形成される。取付部２０における前後の二辺の一端部には、前後方向Ｙにおいて互いに離れるように突出した回動軸２０Ｂが１つずつ形成される。前側Ｙ１の回動軸２０Ｂは、開口７Ｆにおける前側Ｙ１の周縁部の下端部に形成された差込穴７Ｇに差し込まれ、後側Ｙ２の回動軸２０Ｂは、開口７Ｆにおける後側Ｙ２の周縁部の下端部に形成された別の差込穴７Ｇに差し込まれる。これにより、取付部２０は、ベース部７によって支持され、前後一対の回動軸２０Ｂまわりに回動可能である。詳しくは、取付部２０は、実線で示すように右側壁７Ｅから右側Ｘ２へ略水平に延び出た開位置と、破線で示すように略垂直になって開口７Ｆを塞いだ閉位置との間で回動する。略水平になったときの取付部２０の上面に水準器２１が固定される。そのため、取付部２０を開位置に配置すると、水準器２１が右側壁７Ｅからはみ出して配置されて、水準器２１の窓部２１Ｂが上側Ｚ１へ露出される。一方、取付部２０を閉位置まで回動させると、水準器２１はベース部７内に格納される（図６参照）。
【００３４】
第１変形例では、洗濯機１を水平にする作業の際には、ベース部７から引き出した開位置の取付部２０に取り付けられた水準器２１によって、洗濯機１が水平に設置されたか否かを確認でき、作業の完了後には、取付部２０を閉位置まで回動させて水準器２１ともにベース部７内に格納できる。
【００３５】
第１変形例のように取付部２０をベース部７に設ける場合には、取付部２０を回動可能に構成せずに、例えばベース部７の右側壁７Ｅに固定することによってベース部７に一体化してもよい。
【００３６】
取付部２０は、以上のように洗濯機１のベース部７または調整脚９に設けられるのではなく、洗濯機１に対して着脱可能であってもよい。この場合、洗濯機１を水平にする作業の完了後には、取付部２０を取り外して水準器２１と共に仕舞っておくことができる。着脱可能な取付部２０は、図７および図８に示すように、長方形の板状の本体部２０Ｃと、本体部２０Ｃの長手方向における一端部をなす第１係合部２０Ｄと、本体部２０Ｃの短手方向における第１係合部２０Ｄの両側に設けられた一対の第２係合部２０Ｅとを一体的に有する。本体部２０Ｃの長手方向における第１係合部２０Ｄの一端縁には、円弧状の切り欠き２０Ｆが形成される。一対の第２係合部２０Ｅは、本体部２０Ｃから本体部２０Ｃの板厚方向に切り起こされた爪状に形成される。
【００３７】
次に、着脱可能な取付部２０が適用される第２変形例および第３変形例に係る洗濯機１について説明する。図９および図１０に示す第２変形例に係る洗濯機１では、ベース部７において調整脚９を収容する凹部７Ｂの底板７Ｃに、取付部２０の第２係合部２０Ｅと同数つまり２つの貫通穴７Ｈが、左右方向Ｘに並んで形成される。作業者は、洗濯機１の傾き調整に先立って、取付部２０の第１係合部２０Ｄを底板７Ｃの下面に沿わせて各第２係合部２０Ｅを貫通穴７Ｈに１つずつ嵌め込む。すると、第１係合部２０Ｄと各第２係合部２０Ｅとが底板７Ｃを挟むことによって、取付部２０がベース部７に装着される。装着後の取付部２０では、本体部２０Ｃが底板７Ｃから前側Ｙ１へ略水平に延び、本体部２０Ｃの少なくとも前端部は、凹部７Ｂからはみ出して、ベース部７から前側Ｙ１へ露出される。本体部２０Ｃの前端部には、水準器２１が上側Ｚ１から取り付けられる。洗濯機１の傾き調整が完了すると、作業者は、取付部２０の各第２係合部２０Ｅを貫通穴７Ｈから外すことによって、取付部２０をベース部７から離脱させる。
【００３８】
図１１および図１２に示す第３変形例に係る洗濯機１では、調整脚９の支持部１３の天壁１３Ａに、取付部２０の第２係合部２０Ｅと同数の貫通穴１３Ｆが左右方向Ｘに並んで形成される。作業者は、洗濯機１の傾き調整に先立って、取付部２０の第１係合部２０Ｄを天壁１３Ａの上面に沿わせて各第２係合部２０Ｅを貫通穴１３Ｆに１つずつ嵌め込む。すると、第１係合部２０Ｄと各第２係合部２０Ｅとが天壁１３Ａを挟むことによって、取付部２０が支持部１３に装着される。調整脚９の縦軸１１が第１係合部２０Ｄの切り欠き２０Ｆに嵌ることによって、取付部２０は、縦軸１１にぶつかることなく支持部１３に装着される（図１２参照）。装着後の取付部２０では、本体部２０Ｃが天壁１３Ａから前側Ｙ１へ略水平に延び、本体部２０Ｃの少なくとも前端部は、ベース部７の凹部７Ｂからはみ出して、ベース部７から前側Ｙ１へ露出される。本体部２０Ｃの前端部には、水準器２１が上側Ｚ１から取り付けられる。洗濯機１の傾き調整が完了すると、作業者は、取付部２０の各第２係合部２０Ｅを貫通穴１３Ｆから外すことによって、取付部２０を調整脚９から離脱させる。
【００３９】
この発明は、以上に説明した実施形態に限定されるものではなく、請求項に記載の範囲内において種々の変更が可能である。
【００４０】
例えば、調整脚９では、縦軸１１の外周面１１Ｃにねじ部１１Ｄを形成し、ねじ部１１Ｄに噛み合った途中部１４Ｃを有する横軸１４を回転させることによって縦軸１１および接触部１２を昇降させたが、外周面１１Ｃには、ねじ部１１Ｄの代わりにラック（図示せず）を設けてもよい。これにより、このラックと途中部１４Ｃとによって構成されたラックアンドピニオン機構によって縦軸１１および接触部１２を昇降させることができる。
【００４１】
また、図１３に示す第４変形例に係る洗濯機１のように、前述したネジジャッキ構造とは構造が異なる調整脚９を用いてもよい。第４変形例の４の調整脚９は、前述した縦軸１１および接触部１２と、緩み止め部材２５とを有する。ベース部７において調整脚９を収容する凹部７Ｂの底板７Ｃには、ねじ穴７Ｉが形成される。縦軸１１は、ねじ穴７Ｉに挿入されて、縦軸１１のねじ部１１Ｄと、ねじ穴７Ｉのねじ部（図示せず）とが噛み合った状態にある。この調整脚９では、作業者が縦軸１１を回転させると、縦軸１１が接触部１２を伴って昇降するので、前述した突出量Ｄが変化する。緩み止め部材２５は、縦軸１１において底板７Ｃよりも下側Ｚ２の部分に対して外嵌されたナットである。作業者が縦軸１１の回転を停止させてから、緩み止め部材２５を回転させて底板７Ｃ側へ締め付けると、縦軸１１が不意に回転しないように緩み止めされる。第４変形例では、取付部２０がベース部７に着脱可能または一体的に設けられる。
【００４２】
また、前述した取付部２０は、洗濯機能だけを有する洗濯機だけでなく、洗濯機能および乾燥機能を有する洗濯乾燥機や、洗濯機能が省略された乾燥機にも適用できる。
【符号の説明】
【００４３】
１      洗濯機
２      洗濯機本体
２Ｂ    下部
３      脚部
７      ベース部
９      調整脚
１１    縦軸
１１Ｃ  外周面
１１Ｄ  ねじ部
１１Ｅ  下端部
１２    接触部
１３    支持部
１４    横軸
２０    取付部
２１    水準器
Ｄ      突出量
Ｓ      設置面
Ｚ２    下側
【図１】
2018094319.tif 000003
【図２】
2018094319.tif 000004
【図３】
2018094319.tif 000005
【図４】
2018094319.tif 000006
【図５】
2018094319.tif 000007
【図６】
2018094319.tif 000008
【図７】
2018094319.tif 000009
【図８】
2018094319.tif 000010
【図９】
2018094319.tif 000011
【図１０】
2018094319.tif 000012
【図１１】
2018094319.tif 000013
【図１２】
2018094319.tif 000014
【図１３】
2018094319.tif 000015